(57)【要約】【課題】詰替用シャンプー液パック等のパウチのように重くて表面が滑り易いパウチを確実に保持することができ、かつ簡単に取り外しできるようにした吊り下げ具を提供する。【解決手段】本体１には、下方に開口する差込口３を形成するよう側壁４、５が対向状態に設けられている。一方の側壁には保持筒６があり、この保持筒には内筒１４が嵌め込まれる。内筒１４には、つまみ部２２が押し込み若しくは引き出し可能に挿入され、このつまみ部２２に支持針２６が設けられている。つまみ部２２を引き出した状態で物品を差込口に差し込み、つまみ部を押し込むと、物品に支持針２６が貫通して保持できる。つまみ部を引き出せは、支持針２６が抜けて物品を差込口から取り出すことができる。【選択図】図２
2011001111.tif 000002
【特許請求の範囲】
【請求項１】
吊り下げ部を有する本体に下方に開口する差込口を形成するよう対向する側壁を形成し、該差込口に臨む一方の側壁側に保持筒を設け、該保持筒内に押し込み若しくは引き出し可能につまみ部を挿入し、該つまみ部を押し込んだ際上記差込口を横切って対向する他方の側壁に達するよう上記つまみ部に支持針を設けた吊り下げ具。
【請求項２】
上記保持筒とつまみ部間には、押し込み位置でつまみ部を保持するロック手段が設けられている請求項１に記載の吊り下げ具。
【請求項３】
上記ロック手段は、保持筒若しくはつまみ部のいずれか一方の部材に設けられ他方の部材に向けて付勢されている係止ボールと、つまみ部の押し込み位置で該係止ボールが係合するよう他方の部材に設けられた受溝である請求項２に記載の吊り下げ具。
【請求項４】
上記つまみ部には、つまみ部の移動を押し込み位置及び引き出し位置で停止させるようストッパーが設けられている請求項１から３のいずれかに記載の吊り下げ具。
【請求項５】
上記本体の側壁には上記支持針の先端を受け入れる受部が形成されている請求項１から４のいずれかに記載の吊り下げ具。
【請求項６】
上記保持筒は内筒を有し、上記つまみ部は該内筒に押し込み若しくは引き出し可能に取り付けられ、該内筒が上記保持筒内に嵌着されている請求項１から５のいずれかに記載の吊り下げ具。
【請求項７】
上記つまみ部の側面には外方に付勢された係止ボールが設けられ、内筒には押し込み位置において該係止ボールが係止されるよう受溝が設けられている請求項６に記載の吊り下げ具。
【発明の詳細な説明】
【技術分野】
【０００１】
本発明は、詰替用のシャンプー液パック、リンス液パックや洗剤パックその他の表面が滑り易い素材で形成され、重量があるパウチ等のような物品を吊り下げできるようにした吊り下げ具に関するものである。
【背景技術】
【０００２】
詰替用のシャンプー液パック、リンス液パックや洗剤パックその他のパウチを、底を折り重ねて逆さに吊り下げできるようにしたホルダーが知られている。このようなホルダーとして、パウチの一部に孔を設けてフック等で吊り下げるようにしたものがあるが（例えば特許文献１参照）、予めパウチ等に孔を設けなければならないので、面倒である。また、本体内に設けた傾斜面に沿って転動するようローラーやボール等の転動体を設け、該転動体間に被挟持物を差し込んで該転動体間の挟持作用で被挟持物を保持するようにしたホルダーも知られているが（例えば、特許文献２参照）、このようなホルダーは紙やシート状物等のように、比較的軽いものは保持することができるとしても、荷重が重いパウチ等や表面が滑り易い材質で形成されたものの場合には確実に保持することができず、簡単に滑り落ちるおそれがあり、構造も複雑で、経済的に得にくい。さらに、紙、布等のクリップとして、紙等に針を刺し込んで保持するようにしたものも知られている（例えば特許文献３参照）。しかし、針が露出しているので危険であり、着脱が面倒だったり、簡単に外れたりして、満足できるものは少ない。
【先行技術文献】
【特許文献】
【０００３】
【特許文献１】特開２０００−８５８６７号公報（請求項１、図１、図２）
【特許文献２】実開昭４９−７９３１３号公報（第１図、第２図）
【特許文献３】実開昭５４−２０７１７号公報（第１図、第２図）
【発明の概要】
【発明が解決しようとする課題】
【０００４】
本発明の解決課題は、上記のように詰替用シャンプー液パック等のパウチのように重く表面が滑り易い物品を確実に保持でき、着脱が容易で、構成も簡単であり、危険性のない吊り下げ具を提供することである。
【課題を解決するための手段】
【０００５】
本発明によれば、吊り下げ部を有する本体に下方に開口する差込口を形成するよう対向する側壁を形成し、該差込口に臨む一方の側壁側に保持筒を設け、該保持筒内に押し込み若しくは引き出し可能につまみ部を挿入し、該つまみ部を押し込んだ際上記差込口を横切って対向する他方の側壁に延びるよう上記つまみ部に支持針を設けた吊り下げ具が提供され、上記課題が解決される。
【０００６】
また、本発明によれば、上記吊り下げ具は上記つまみ部を押し込み位置で保持するロック手段を具備し、このロック手段として係止ボールと受溝を備えた上記吊り下げ具が提供され、上記課題が解決される。
【発明の効果】
【０００７】
本発明は、上記のように構成され、吊り下げ部を有する本体に下方に開口する差込口を形成するよう対向する側壁を形成し、該差込口に臨む一方の側壁側に保持筒を設け、該保持筒内に押し込み若しくは引き出し可能につまみ部を挿入し、該つまみ部を押し込んだ際上記差込口を横切って対向する他方の側壁に延びるよう上記つまみ部に支持針を設けたので、つまみ部を保持筒から引き出した状態で差込口に詰替えパックの一部、例えばパックの底部を折畳んで挿入し、その後該つまみ部を保持筒内に押し込むと、つまみ部に設けた支持針が差込口を横切って該底部を貫通し、先端が対向する本体の側壁に達してパックを確実に保持して吊り下げることができる。また、この支持針は差込口内に位置し外部に露出していないから、危険性はない。そして、上記つまみ部を保持筒から引き出せば、上記支持針は上記パックから抜き出され、該パックを差込口から取り出すことができる。
【０００８】
また、上記保持筒とつまみ部の間に押し込み位置でつまみ部を保持するロック手段を設けると、吊り下げた状態の物品が不意に脱落するようなおそれもない。さらに、上記保持筒に内筒を設け、該内筒につまみ部を装着してから該内筒の保持筒に嵌着するようにすると、組立が容易で、経済的に得ることができる。
【図面の簡単な説明】
【０００９】
【図１】本発明の一実施例を示す斜視図。
【図２】分解斜視図。
【図３】ロック手段の一実施例を示す一部の拡大断面図。
【図４】ロック手段の他の一実施例を示す一部の拡大断面図。
【図５】使用状態を示し、つまみを引き出した状態の説明図。
【図６】つまみを押し込んだ状態の説明図。
【図７】パックを吊り下げた状態の説明図。
【発明を実施するための形態】
【００１０】
本発明の一実施例を示す図１〜図６を参照し、本体１は、吊り下げ部２を有し、下方に開口する差込口３を形成するよう対向する側壁４、５を具備し、該差込口に臨む一方の側壁４側には保持筒６が設けられ、他方の側壁５側には上記保持筒６に対向する位置に突部７が形成されている。上記本体１は全体を一体的に構成してもよいが、実施例に示すように側壁４、５を有する一対の本体要素８、９を形成し、これを組み合わせて接合面１０を超音波溶接したり、接着したり、両者をねじ止めして下方に開口する差込口３を構成している。また、いずれか一方の側壁の一部を本体とは別に形成してから組み合わせるようにしてもよい（図示略）。上記吊り下げ部２として、図１に示す実施例では、フックを具備しているが、ピン（図示略）等に掛けとめるための掛け孔を設けたり、平滑な壁面等に吸着させるための吸盤や磁石等を設けてもよい（図示略）。
【００１１】
上記一方の本体要素８には上記保持筒６が形成され、該保持筒６は図に示す実施例では、一端が開口する略楕円筒状に設けられ、底板１１の中心部には針貫通孔１２が形成され、底板の周縁部には掛止孔１３が設けられている。また、保持筒６は、嵌込み可能な内筒１４を有し、該内筒１４は上記掛止孔１３に差し込まれて孔周縁に係合する係止爪１５と、半径方向に開口する受溝１６と、上記保持筒６の内面に形成した段部１７に当接するフランジ１８と、内筒の軸方向の端部に開口する挿通口１９が設けられ、組み立て時に該挿通口１９を押し広げることができるようスリット２０が形成されている。なお、該挿通口１９を完全に広げるため、内筒１４全体を二つ割り等に分割して形成し、組み立て時に筒状に組み合わせるようにしてもよい（図示略）。なお、上記他方の本体要素９に形成された突部７の内方には、受孔２１が形成されている。
【００１２】
上記保持筒６内には、押し込み若しくは引き出し可能につまみ部２２が挿入されている。該つまみ部２２は上記保持筒６に直接的に挿入するように構成してもよいが、図に示すように内筒１４内に組み込んでから、保持筒６に装着するようにすると、製造、組み立てが容易である。該つまみ部２２は、上記挿通口１９に対応した断面形状を有する軸部２３と、該軸部２３の前面方向に広がる前面板２４と、上記軸部の内方端に設けたストッパー２５を具備する。該つまみ部２２を内筒１４内に装着するには、上記内筒のスリット２０を開いて軸部２３を挿通口１９内に嵌め込めばよい。それにより、該つまみ部は、上記ストッパー２５が内筒１４の挿通口１９の裏面孔縁に当接する位置まで引き出すことができ、また上記前面板２４が保持筒６の開口端縁に当る位置まで押し込むことができる。
【００１３】
上記つまみ部２２には、上記のように保持筒６内に押し込んだ際、上記針貫通孔１２を通り上記差込口３を横切って先端が対向する他方の側壁４の受孔２１に達するよう支持針２６が設けられている。この支持針２６の長さは、つまみ部２２を引き出し位置に移動した際に、その先端が差込口３から後退して保持筒６内に収納される長さに形成してある。なお、図において、該支持針２６は２本横方向に並列して設けてあるが、１本若しくは３本以上適宜数設けることもできる。
【００１４】
上記保持筒６とつまみ部２２の間には、押し込み位置でつまみ部を離脱可能に保持するようロック手段が設けられている。該ロック手段としては、適宜に構成することができるが、保持筒若しくはつまみ部のいずれか一方の部材に設けられ他方の部材に向けて付勢されている係止ボール２７と、つまみ部の押し込み位置で該係止ボールが係合するよう他方の部材に設けられた受溝を具備する構成が好ましい。図１、図２に示す実施例では、図３に示すように、上記つまみ部２２の側面に平面部２９を設け、この平面部にボール孔３０を設けて係止ボール２７とこの係止ボール２７を保持筒６の内面に向けて付勢するばね３１を収納してあり、押し込み位置で保持筒、図に示す実施例では内筒１４に形成した上記受溝１６に該ボール２７の先部が係合してつまみ部を保持できるようにしてある。なお、係合状態で上記係止ボール２７は上記ボール孔３０から脱落しない程度に突出してボール２７の先部が受溝１６の縁部に係合しているので、この状態から上記前面板２４をもってつまみ部２２を引き出し方向に引張れば、上記係止ボール２７は受溝１６から外れ、内筒の内面に押されて全体がボール孔３０内に没入し、つまみ部２２を引き出すことができる。
【００１５】
図４は、ロック手段の他の実施例を示し、係止ボールと受溝を設ける部材を、図３に示す実施例と反対側の部材に設けている。すなわち、保持筒６側、図示する実施例では内筒１４にボール孔３０を設けて係止ボール２７とばね３１を収納し、つまみ部２２側に受溝２８を設けて、押し込み位置でつまみ部２２を離脱可能に保持できるようにしてある。
【００１６】
上記吊り下げ具を使用するには、図５に示すようにつまみ部２２を矢印３２方向に引張って引き出し位置に移動させて差込口３から支持針２６を後退させた後、この差込口３の下方から、折畳んだパックの底部等の如き吊り下げたい物品３３を差し込む。そして、図６に示すようにつまみ部２２を矢印３４方向に押し込めば、支持針２６が上記物品３３の一部を貫通してその先端が対向する側壁５に設けた受孔２１に入り込み、物品３３を確実に保持することができる。そして、図７に示すように、上記フック等の吊り下げ部２を壁等の支承体に設けた吸盤付きフック３５や図示を省略した適宜のハンガーに引っ掛ければ、全体を吊り下げることができる。このようにすれば、パック３６の下端に設けたポンプ３７を操作してパック内の内容物を所定量づつ取り出すことができる。
【００１７】
上記パック３６内の内容物がなくなったら、図５に示すようにつまみ部２２を引き出せば、支持針２６は物品（パック）３３から抜け出すので、該物品を差込口３から取り出し、新たな物品を吊り下げることができる。上記のような使用態様として、上記各実施例ではシャンプー液パック等のパウチを逆さに吊るす場合の吊り下げ具につき説明したが、本発明の吊り下げ具はその他各種のものに適用できることは明らかである。
【符号の説明】
【００１８】
１  本体
２  吊り下げ部
３  差込口
６  保持筒
７  突部
１４  内筒
２２  つまみ部
２６  支持針
【図１】
2011001111.tif 000003
【図２】
2011001111.tif 000004
【図３】
2011001111.tif 000005
【図４】
2011001111.tif 000006
【図５】
2011001111.tif 000007
【図６】
2011001111.tif 000008
【図７】
2011001111.tif 000009